(57)【要約】【課題】  表示パネルの額縁部の幅を広げる必要なく、外部接続用フレキシブルケーブルを接続できる表示装置を提供する。【解決手段】  ガラス基板１の表示画素領域以外の額縁部に実装された走査線駆動素子３と信号線駆動素子４の間のコーナー部に、外部回路接続用端子２３及び２３を設ける。外部回路接続用端子２２及び２３は、前記コーナー部の２つの辺に沿って形成することにより、走査線駆動素子３及び信号線駆動素子４の短辺方向の幅で制限される額縁部を広げることなしに、外部回路接続用ＦＰＣケーブル５の全ての配線を接続するためのスペースを確保することができる。この結果、額縁部の幅を広げる必要なく、外部接続用ＦＰＣケーブル５を接続できる。【選択図】  図２
2005301161.tif 000002
【特許請求の範囲】
【請求項１】
マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、
前記額縁部の一の辺に実装され前記信号線に映像信号を供給する信号線駆動素子と、
前記額縁部の前記一の辺に隣接する辺に実装され前記走査線に走査パルスを供給する走査線駆動素子と、
前記額縁部の１つのコーナー部に複数個に分割して設けられた複数個の外部回路接続用端子部と、
前記複数個の外部回路接続用端子部に接続され前記信号線駆動素子及び前記走査線駆動素子を制御するための信号及び電源電圧を供給する１個の外部回路接続用フレキシブルケーブルと、
を有することを特徴とする表示装置。
【請求項２】
前記外部回路接続用端子部は、前記額縁部における前記信号線駆動素子及び前記走査線駆動素子間のコーナー部に設けられていることを特徴とする請求項１に記載の表示装置。
【請求項３】
前記信号線駆動素子は、前記信号線に対する駆動電圧を生成する信号線駆動回路と、前記外部回路接続用端子部に接続され外部から映像信号、制御信号及び電源電圧を入力する入力端子部と、前記信号線に接続され前記信号線に映像信号を供給する出力端子部と、を有することを特徴とする請求項２に記載の表示装置。
【請求項４】
前記走査線駆動素子は、前記走査線に対する駆動電圧を生成する走査線駆動回路と、前記外部回路接続用端子部に接続され外部から制御信号及び電源電圧を入力する入力端子部と、前記走査線に接続され前記走査線に走査パルスを供給する出力端子部と、を有することを特徴とする請求項３に記載の表示装置。
【請求項５】
前記外部回路接続用端子部は２個に分割されて前記コーナー部の外縁に沿って設けられていることを特徴とする請求項４に記載の表示装置。
【請求項６】
前記信号線駆動素子の前記入力端子部及び前記走査線駆動素子の前記入力端子部は、前記信号線駆動素子及び前記走査線駆動素子間のコーナー部に面していることを特徴とする請求項５に記載の表示装置。
【請求項７】
前記外部回路接続用端子部は２個に分割されて夫々前記信号線駆動素子の前記コーナー部に面した辺及び前記走査線駆動素子の前記コーナー部に面した辺に沿って配置されていることを特徴とする請求項４に記載の表示装置。
【請求項８】
前記信号線駆動素子の前記入力端子部及び前記走査線駆動素子の前記入力端子部は、前記信号線駆動素子及び前記走査線駆動素子間のコーナー部に面しており、前記２個に分割された外部回路接続用端子部は夫々前記信号線駆動素子の前記入力端子部及び前記走査線駆動素子の前記入力端子部に面して配置されていることを特徴とする請求項７に記載の表示装置。
【請求項９】
前記２個に分割された外部回路接続用端子部、前記信号線駆動素子の前記入力端子部及び前記走査線駆動素子の前記入力端子部は、夫々複数個の端子を有し、前記外部回路接続用端子部の各端子と、前記信号線駆動素子の前記入力端子部の各端子とは夫々対応するものが同一の順序で配列されており、前記外部回路接続用端子部の各端子と、前記走査線駆動素子の前記入力端子部の各端子とは夫々対応するものが同一の順序で配列されていることを特徴とする請求項８に記載の表示装置。
【請求項１０】
前記フレキシブルケーブルは、前記外部回路接続用端子部との接続部が、前記額縁部の幅より広いことを特徴とする請求項１乃至９のいずれか１項に記載の表示装置。
【請求項１１】
マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
前記額縁部の１つのコーナー部に設けられ複数個の端子が一方向に配列された外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子のいずれか一方は、その前記外部回路接続用端子部側の端縁が前記表示パネルの外縁に対して前記外部回路接続用端子部から離隔するように傾斜していることを特徴とする表示装置。
【請求項１２】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子は前記外部回路接続用端子部が設けられたコーナー部に面しており、その一方の入力端子が前記表示パネルの外縁に対して前記外部回路接続用端子部から離隔するように傾斜して配置されていることを特徴とする請求項１１に記載の表示装置。
【請求項１３】
前記表示パネルの外縁に対して前記外部回路接続用端子部から離隔するように傾斜して配置された前記入力端子は、その長手方向が同一の素子内に設けられた前記出力端子の長手方向と同一であるように配置されることを特徴とする請求項１２に記載の表示装置。
【請求項１４】
前記フレキシブルケーブルはその前記外部回路接続用端子部との接続部の幅が前記額縁部の幅よりも広いことを特徴とする請求項１１乃至１３のいずれか１項に記載の表示装置。
【請求項１５】
マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
複数個の端子が一方向に配列された外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子のいずれか一方は、その途中で２又は３以上に分割されており、その分割部における端縁が前記表示パネルの外縁に対して前記外縁に向けて広がるように傾斜しており、
前記外部回路接続用端子部が前記分割部の端縁間の領域に配置されていることを特徴とする表示装置。
【請求項１６】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子の一方の入力端子が前記表示パネルの外縁に対して傾斜していることを特徴とする請求項１５に記載の表示装置。
【請求項１７】
前記表示パネルの外縁に対して傾斜している前記入力端子は、その長手方向が同一の素子内に設けられた前記出力端子の長手方向と同一であるように配置されることを特徴とする請求項１６に記載の表示装置。
【請求項１８】
マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
前記額縁部の１つのコーナー部に設けられた外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子は、その前記外部回路接続用端子部側の端縁が前記表示パネルの外縁に対して前記外部回路接続用端子部から離隔するように傾斜していることを特徴とする表示装置。
【請求項１９】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子は前記外部回路接続用端子部が設けられたコーナー部に面しており、いずれの入力端子も前記表示パネルの外縁に対して前記外部回路接続用端子部から離隔するように傾斜して配置されていることを特徴とする請求項１８に記載の表示装置。
【請求項２０】
前記外部回路接続用端子部は前記信号線駆動素子の前記入力端子及び前記走査線駆動素子の前記入力端子に面するように端子が配列されていることを特徴とする請求項１９に記載の表示装置。
【請求項２１】
マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、
前記表示画素電極の対向電極が表面に設けられ、液晶層を挟んで前記第１のガラス基板と対向して表示パネルを形成する第２のガラス基板と、
前記額縁部の一の辺に実装され前記信号線に映像信号を供給する信号線駆動素子と、
前記額縁部の前記一の辺に隣接する辺に実装され前記走査線に走査パルスを供給する走査線駆動素子と、
前記額縁部の１つのコーナー部に複数個に分割して設けられた複数個の外部回路接続用端子部と、
前記複数個の外部回路接続用端子部に接続され前記信号線駆動素子及び前記走査線駆動素子を制御するための信号及び電源電圧を供給する１個の外部回路接続用フレキシブルケーブルと、
を有することを特徴とする表示装置。
【請求項２２】
前記外部回路接続用端子部は、前記額縁部における前記信号線駆動素子及び前記走査線駆動素子間のコーナー部に設けられていることを特徴とする請求項２１に記載の表示装置。
【請求項２３】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有することを特徴とする請求項２２に記載の表示装置。
【請求項２４】
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有することを特徴とする請求項２３に記載の表示装置。
【請求項２５】
前記外部回路接続用端子部は２個に分割されて前記コーナー部の外縁に沿って設けられていることを特徴とする請求項２４に記載の表示装置。
【請求項２６】
前記信号線駆動素子の前記入力端子部及び前記走査線駆動素子の前記入力端子部は、前記信号線駆動素子及び前記走査線駆動素子間のコーナー部に面していることを特徴とする請求項２５に記載の表示装置。
【請求項２７】
前記外部回路接続用端子部は２個に分割されて夫々前記信号線駆動素子の前記コーナー部に面した辺及び前記走査線駆動素子の前記コーナー部に面した辺に沿って配置されていることを特徴とする請求項２４に記載の表示装置。
【請求項２８】
前記信号線駆動素子の前記入力端子及び前記走査線駆動素子の前記入力端子は、前記信号線駆動素子及び前記走査線駆動素子間のコーナー部に面しており、前記２個に分割された外部回路接続用端子部は夫々前記信号線駆動素子の前記入力端子及び前記走査線駆動素子の前記入力端子に面して配置されていることを特徴とする請求項２７に記載の表示装置。
【請求項２９】
前記２個に分割された外部回路接続用端子部、前記信号線駆動素子の前記入力端子部及び前記走査線駆動素子の前記入力端子部は、夫々複数個の端子を有し、前記外部回路接続用端子部の各端子と、前記信号線駆動素子の前記入力端子部の各端子とは夫々対応するものが同一の順序で配列されており、前記外部回路接続用端子部の各端子と、前記走査線駆動素子の前記入力端子部の各端子とは夫々対応するものが同一の順序で配列されていることを特徴とする請求項２８に記載の表示装置。
【請求項３０】
前記フレキシブルケーブルは、前記外部回路接続用端子部との接続部が、前記額縁部の幅より広いことを特徴とする請求項２１乃至２９のいずれか１項に記載の表示装置。
【請求項３１】
マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、
前記表示画素電極の対向電極が表面に設けられ、液晶層を挟んで前記第１のガラス基板と対向して表示パネルを形成する第２のガラス基板と、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
前記額縁部の１つのコーナー部に設けられ複数個の端子が一方向に配列された外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子のいずれか一方は、その前記外部回路接続用端子部側の端縁が前記表示パネルの外縁に対して前記外部回路接続用端子部から離隔するように傾斜していることを特徴とする表示装置。
【請求項３２】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子は前記外部回路接続用端子部が設けられたコーナー部に面しており、その一方の入力端子が前記表示パネルの外縁に対して前記外部回路接続用端子部から離隔するように傾斜して配置されていることを特徴とする請求項３１に記載の表示装置。
【請求項３３】
前記表示パネルの外縁に対して前記外部回路接続用端子部から離隔するように傾斜して配置された前記入力端子は、その長手方向が同一の素子内に設けられた前記出力端子の長手方向と同一であるように配置されることを特徴とする請求項３２に記載の表示装置。
【請求項３４】
前記フレキシブルケーブルはその前記外部回路接続用端子部との接続部の幅が前記額縁部の幅よりも広いことを特徴とする請求項３１乃至３３のいずれか１項に記載の表示装置。
【請求項３５】
マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、
前記表示画素電極の対向電極が表面に設けられ、液晶層を挟んで前記第１のガラス基板と対向して表示パネルを形成する第２のガラス基板と、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
複数個の端子が一方向に配列された外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子のいずれか一方は、その途中で２又は３以上に分割されており、その分割部における端縁が前記表示パネルの外縁に対して前記外縁に向けて広がるように傾斜しており、
前記外部回路接続用端子部が前記分割部の端縁間の領域に配置されていることを特徴とする表示装置。
【請求項３６】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子の一方の入力端子が前記表示パネルの外縁に対して傾斜していることを特徴とする請求項３５に記載の表示装置。
【請求項３７】
前記表示パネルの外縁に対して傾斜している前記入力端子は、その長手方向が同一の素子内に設けられた前記出力端子の長手方向と同一であるように配置されることを特徴とする請求項３６に記載の表示装置。
【請求項３８】
マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、
前記表示画素電極の対向電極が表面に設けられ、液晶層を挟んで前記第１のガラス基板と対向して表示パネルを形成する第２のガラス基板と、
前記額縁部の一の辺に実装され前記信号線に映像信号を供給する信号線駆動素子と、
前記額縁部の前記一の辺に隣接する辺に実装され前記走査線に走査パルスを出力する走査線駆動素子と、
前記額縁部の１つのコーナー部に設けられた外部回路接続用端子部と、
前記外部回路接続用端子部に接続され前記信号線駆動素子及び前記走査線駆動素子を制御するための信号及び電源電圧を供給する１個の外部回路接続用フレキシブルケーブルと、
を有し、
前記信号線駆動素子及び前記走査線駆動素子は、その前記外部回路接続用端子部側の端縁が前記表示パネルの外縁に対して前記外部回路接続用端子部から離隔するように傾斜していることを特徴とする表示装置。
【請求項３９】
前記信号線駆動素子は、前記信号線に対する駆動電圧を生成する信号線駆動回路と、前記外部回路接続用端子部に接続され外部から映像信号、制御信号及び電源電圧を入力する入力端子と、前記信号線に接続され前記信号線に映像信号を供給する出力端子と、を有し、
前記走査線駆動素子は、前記走査線に対する駆動電圧を生成する走査線駆動回路と、前記外部回路接続用端子部に接続され外部から制御信号及び電源電圧を入力する入力端子と、前記走査線に接続され前記走査線に走査パルスを供給する出力端子と、を有し、
前記信号線駆動素子の前記入力端子及び前記走査線駆動素子の前記入力端子は前記外部回路接続用端子部が設けられたコーナー部に面しており、いずれの入力端子も前記表示パネルの外縁に対して前記外部回路接続用端子部から離隔するように傾斜して配置されていることを特徴とする請求項３８に記載の表示装置。
【請求項４０】
前記外部回路接続用端子部は前記信号線駆動素子の前記入力端子及び前記走査線駆動素子の前記入力端子に面するように端子が配列されていることを特徴とする請求項３９に記載の表示装置。
【請求項４１】
前記信号線駆動素子及び前記走査線駆動素子は、夫々、ガラス基板上と、前記ガラス基板の表面に設けられ前記信号線駆動回路を構成する１個又は複数個の薄膜トランジスタと、を有することを特徴とする請求項１乃至４０のいずれか１項に記載の表示装置。
【請求項４２】
前記信号線と前記信号線駆動素子の前記出力端子部、前記走査線と前記走査線の出力端子部、前記外部回路端子部と前記信号線駆動素子の入力端子部、及び、前記外部回路接続用端子部と前記走査線駆動素子の入力端子部が、夫々前記額縁部に設けられた配線パターンで電気的に接続されていることを特徴とする請求項１乃至４１のいずれか１項に記載の表示装置。
【発明の詳細な説明】
【技術分野】
【０００１】
本発明は、ディスプレイ技術に関し、特に駆動素子と接続用フレキシブルケーブルとの間の配線部の省スペース化を実現する表示装置に関する。
【背景技術】
【０００２】
近年の技術の発展に伴い、２枚のガラス基板で液晶層を挟んで封止することにより構成される液晶表示パネルにおいて、一方のガラス基板の周辺部の表示画素領域外で、且つ、対向する他方のガラス基板に覆われていない領域（以下、この領域を額縁部という）に駆動素子を実装した液晶表示装置が実用化されている。
【０００３】
例えば、特許文献１（特開２００２−１３１７７２号公報）の図１に記載されている従来の液晶表示装置では、液晶表示パネルの少なくとも１つの額縁部に、少なくとも１つの半導体チップを搭載するとともに、外部に対する接続用端子電極の複数個を形成し、前記半導体チップと各接続用端子とを、前記額縁部の長手方向に並べて設ける技術が開示されている。この従来の液晶表示装置においては、２枚の透明基板が液晶を封止するように互いに貼り合わせてあり、額縁部に搭載する半導体チップには、前記２枚の透明基板における多数本の画素用透明電極を表示駆動するためのドライバアナログ回路と、これを制御する制御回路及び／又は記憶回路等から成るロジック回路とが形成されている。また、前記接続用端子電極には、ＦＦＣ（Flexible Flat Cable；フレキシブルフラットケーブル）が接続される。更に、前記額縁部には、前記半導体チップと前記２枚の透明基板における各画素用透明電極とを接続する多数本のパターン配線が形成されている。半導体チップ及び各接続用端子電極は、額縁部の長手方向に並べて配置されている。従って、半導体チップ及び各接続用端子電極を額縁部の幅方向に並べて設ける場合よりも額縁部における幅寸法を小さくすることができる。
【０００４】
また、特許文献２（特開平１１−２９７７６０号公報）の図１に記載されている従来の液晶表示装置では、走査線又は信号線に接続されるストライプ状電極が形成されている側に上辺を向け、ＦＰＣ（Flexible Printed Circuit；フレキシブルプリント配線板）又はコネクタなどに対する入力端子が形成されている側に向けて底辺を向ける略台形状の平面形状を有する駆動用ＩＣを使用する技術が開示されている。駆動用ＩＣのバンプ電極は、チップ辺に沿って配列されており、台形の斜辺に相当する場所には、斜めに配列されたバンプ電極は斜めに配列されている。これらの斜めに配列されたバンプ電極が実装される基板側の電極端子も斜めに配列されており、基板上の配線パターンを遠く迂回させることなく、最短経路を辿るように配線パターンを引き出すことができる。このため、額縁部の無駄なスペースを削減でき、配線パターンの電気抵抗を低減できると記載されている。
【０００５】
しかしながら、上述の特許文献１及び特許文献２に開示された液晶表示装置には、以下に示すような問題点がある。２つの額縁部に夫々走査線駆動素子と信号線駆動素子を搭載する場合、走査線駆動素子と信号線駆動素子に対して夫々ＦＦＣを接続する必要がある。そのため、ＦＦＣの２本分の部品代と実装コストがかかり、液晶表示装置のコストが高くなってしまう。
【０００６】
これに対して、例えば特許文献３（特許第３０３３１２４号公報）の図２に記載されている液晶表示装置においては、走査線駆動素子を搭載した額縁部と信号線駆動素子を搭載した額縁部に挟まれるコーナー部に外部回路接続用端子を設け、その端子部から走査線駆動素子の入力端子と信号線駆動素子の入力端子の両方に接続されるよう配線を設ける技術が開示されている。
【０００７】
図１２は、このような従来の液晶表示装置を示す斜視図である。図１２に示すように、従来の液晶表示装置図においては、画素電極（図示せず）がマトリックス状に配置されたガラス基板１と、対向電極（図示せず）が形成されたガラス基板２を、その間に液晶を封止するように張り合わせている。ガラス基板１の額縁部には、走査パルスを画素電極に出力する走査線駆動素子３及び映像信号を画素電極に出力する信号線駆動素子４が実装されている。また、ガラス基板１の額縁部において、走査線駆動素子３と信号線駆動素子４との間のコーナー部には、外部からの制御信号及び電源電圧を走査線駆動素子３及び信号線駆動素子４に伝達する外部回路接続用ＦＰＣケーブル５が接続されている。
【０００８】
図１３は、図１２に示す破線で囲まれた部分を拡大した平面図である。図１３に示すように、ガラス基板１の表面には複数本の走査線１６と複数本の信号線１７が互いに直交するように形成されており、その交点には表示画素電極（図示せず）が、表示画素電極に電圧を印加する薄膜トランジスタを介して接続されて、表示画素領域を形成している。この表示画素領域では、液晶を封止するようにガラス基板２が張り合わせてある。また、ガラス基板１の額縁部の一辺には、複数個の走査線電極端子（図示せず）が配列され、隣接する他の一辺には複数個の信号線電極端子（図示せず）が配列されている。各走査線電極端子は走査線１６に接続されており、各信号線電極端子は信号線１７に接続されている。走査線電極端子は、走査線駆動素子３の長手方向に配列された複数個の走査線駆動出力端子１８に接続されている。各信号線電極端子は、信号線駆動素子４の長手方向に配列された信号線駆動出力端子２０に接続されている。
【０００９】
走査線駆動素子３は、走査線１６に電圧を供給するため、多結晶シリコン薄膜トランジスタで構成された走査線駆動回路（図示せず）が設けられている。また、走査線駆動素子３においては、前記走査線駆動回路を制御するための信号を外部から入力する複数個の入力端子１９が短辺方向に配列されている。各入力端子１９は、各入力端子１９に対応するガラス基板１の表面に設けられた複数個の電極に夫々、半田等によって接続されている。これらの電極は、金属配線２４を介して、外部回路接続用ＦＰＣケーブル５と接続するための複数個の外部回路接続用端子２２に接続されている。
【００１０】
信号線駆動素子４は、信号線１７に電圧を供給するため、多結晶シリコン薄膜トランジスタで構成された信号線駆動回路（図示せず）が設けられている。また、信号線駆動素子４においては、前記信号線駆動回路を制御するための信号を外部から入力する複数個の入力端子２１が短辺方向に配列されている。各入力端子２１は、各入力端子２１に対応するガラス基板１の表面に設けられた複数個の電極（図示せず）に夫々、半田等によって接続されている。これらの電極４１は、金属配線２５を介して、外部回路接続用ＦＰＣケーブル５と接続するための複数個の外部回路接続用端子２３に接続されている。
【００１１】
前述の外部回路接続用端子２３及び外部回路接続用端子２３は、ガラス基板１の額縁部一辺に一列に配列されており、外部回路接続用ＦＰＣケーブル５に設けられた電極端子（図示せず）に接続されている。
【００１２】
【特許文献１】特開２００２−１３１７７２号公報（第５頁、図１）
【特許文献２】特開平１１−２９７７６０号公報（第１２頁、図１）
【特許文献３】特許第３０３３１２４号公報（第５頁、第２図）
【発明の開示】
【発明が解決しようとする課題】
【００１３】
しかしながら、上述の従来技術には、いかに示すような問題点がある。特許文献３に記載の液晶表示装置においては、外部回路接続用ＦＰＣケーブルの幅に制約されて額縁部の幅寸法を小さくすることができない。近年の技術の発展に伴い、駆動素子の幅は４ｍｍ以下に狭幅化されている。走査線駆動素子及び信号線駆動素子は、４系統の電源用配線、グランド用配線、１８本の映像信号用配線、１０本の階調電圧用配線、１６本の制御信号用配線、２本のクロック信号用配線及び液晶表示パネルの表示画素電極の対向電極に供給する電源用配線を必要とする。ここで、例えば、配線幅４０μｍ、配線ピッチ８０μｍ、配線厚２０μｍの銅配線を設けた長さ１０ｃｍの片面ＦＰＣケーブルを外部回路接続用に用いる。４系統の電源と対向電極用電源には５０ｍＡの電流が流れる場合、ＦＰＣケーブルでの電圧降下を０．０２Ｖ以下に抑えるためには、銅配線の抵抗率は１．７×１０−８Ω・ｍであることから、各電源には６本以上の配線が必要となる。また、グランドには１００ｍＡの電流が流れる場合、同様にＦＰＣケーブルでの電圧降下を０．０２Ｖ以下にするためには、グランドには１２本以上の配線が必要となる。以上により、合計８８本以上の配線が必要となり、ＦＰＣケーブルは７．０ｍｍ以上の幅を必要とする。従って、駆動素子の幅が４ｍｍ以下になっても、ＦＰＣケーブルの幅がこれよりも大きく、外部回路接続用ＦＰＣケーブルを接続するために額縁部の幅寸法を広げなくてはならない。
【００１４】
本発明はかかる問題点に鑑みてなされたものであって、駆動素子と外部回路接続用ＦＰＣケーブルを搭載する表示パネルの額縁部の省スペース化を実現する表示装置を提供することにある。
【課題を解決するための手段】
【００１５】
本発明に係る第１の表示装置は、マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、前記額縁部の一の辺に実装され前記信号線に映像信号を供給する信号線駆動素子と、前記額縁部の前記一の辺に隣接する辺に実装され前記走査線に走査パルスを供給する走査線駆動素子と、前記額縁部の１つのコーナー部に複数個に分割して設けられた複数個の外部回路接続用端子部と、前記複数個の外部回路接続用端子部に接続され前記信号線駆動素子及び前記走査線駆動素子を制御するための信号及び電源電圧を供給する１個の外部回路接続用フレキシブルケーブルと、を有することを特徴とする。
【００１６】
本発明に係る第２の表示装置は、マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、前記額縁部の一の辺に実装され前記信号線に映像信号を供給する信号線駆動素子と、前記額縁部の前記一の辺に隣接する辺に実装され前記走査線に走査パルスを出力する走査線駆動素子と、前記額縁部の１つのコーナー部に設けられ複数個の端子が一方向に配列された外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子のいずれか一方は、その前記外部回路接続用端子部側の端縁が前記表示パネルの外縁に対して前記外部回路接続用端子部から離隔するように傾斜していることを特徴とする。
【００１７】
本発明に係る第３の表示装置は、マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、前記額縁部の一の辺に実装され前記信号線に映像信号を供給する信号線駆動素子と、前記額縁部の前記一の辺に隣接する辺に実装され前記走査線に走査パルスを出力する走査線駆動素子と、複数個の端子が一方向に配列された外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子のいずれか一方は、その途中で２又は３以上に分割されており、その分割部における端縁が前記表示パネルの外縁に対して前記外縁に向けて広がるように傾斜しており、前記外部回路接続用端子部が前記分割部の端縁間の領域に配置されていることを特徴とする。
【００１８】
本発明に係る第４の表示装置は、マトリックス状に配置された複数個の表示画素、前記表示画素に映像信号を伝達する複数本の信号線、前記表示画素に走査パルスを伝達する複数本の走査線及び前記表示画素が設けられた表示画素領域の周辺の額縁部を備えた表示パネルと、前記額縁部の一の辺に実装され前記信号線に映像信号を供給する信号線駆動素子と、前記額縁部の前記一の辺に隣接する辺に実装され前記走査線に走査パルスを出力する走査線駆動素子と、前記額縁部の１つのコーナー部に設けられた外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子は、その前記外部回路接続用端子部側の端縁が前記表示パネルの外縁に対して前記外部回路接続用端子部から離隔するように傾斜していることを特徴とする。
【００１９】
本発明に係る第５の表示装置は、マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、前記表示画素電極の対向電極が表面に設けられ、液晶層を挟んで前記第１のガラス基板と対向して表示パネルを形成する第２のガラス基板と、前記額縁部の一の辺に実装され前記信号線に映像信号を供給する信号線駆動素子と、前記額縁部の前記一の辺に隣接する辺に実装され前記走査線に走査パルスを供給する走査線駆動素子と、前記額縁部の１つのコーナー部に複数個に分割して設けられた複数個の外部回路接続用端子部と、前記複数個の外部回路接続用端子部に接続され前記信号線駆動素子及び前記走査線駆動素子を制御するための信号及び電源電圧を供給する１個の外部回路接続用フレキシブルケーブルと、を有することを特徴とする。
【００２０】
本発明に係る第６の表示装置は、マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、前記表示画素電極の対向電極が表面に設けられ、液晶層を挟んで前記第１のガラス基板と対向して表示パネルを形成する第２のガラス基板と、前記額縁部の一の辺に実装され前記信号線に映像信号を供給する信号線駆動素子と、前記額縁部の前記一の辺に隣接する辺に実装され前記走査線に走査パルスを出力する走査線駆動素子と、前記額縁部の１つのコーナー部に設けられ複数個の端子が一方向に配列された外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子のいずれか一方は、その前記外部回路接続用端子部側の端縁が前記表示パネルの外縁に対して前記外部回路接続用端子部から離隔するように傾斜していることを特徴とする。
【００２１】
本発明に係る第７の表示装置は、マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、前記表示画素電極の対向電極が表面に設けられ、液晶層を挟んで前記第１のガラス基板と対向して表示パネルを形成する第２のガラス基板と、前記額縁部の一の辺に実装され前記信号線に映像信号を供給する信号線駆動素子と、前記額縁部の前記一の辺に隣接する辺に実装され前記走査線に走査パルスを出力する走査線駆動素子と、複数個の端子が一方向に配列された外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子のいずれか一方は、その途中で２又は３以上に分割されており、その分割部における端縁が前記表示パネルの外縁に対して前記外縁に向けて広がるように傾斜しており、前記外部回路接続用端子部が前記分割部の端縁間の領域に配置されていることを特徴とする。
【００２２】
本発明に係る第８の表示装置は、マトリックス状に配置された複数個の表示画素電極、前記表示画素に映像信号を伝達する複数本の信号線、前記表示画素電極に走査パルスを伝達する複数本の走査線及び前記表示画素電極が設けられた表示画素領域の周辺の額縁部を備えた第１のガラス基板と、前記表示画素電極の対向電極が表面に設けられ、液晶層を挟んで前記第１のガラス基板と対向して表示パネルを形成する第２のガラス基板と、前記額縁部の一の辺に実装され前記信号線に映像信号を供給する信号線駆動素子と、前記額縁部の前記一の辺に隣接する辺に実装され前記走査線に走査パルスを出力する走査線駆動素子と、前記額縁部の１つのコーナー部に設けられた外部回路接続用端子部と、前記外部回路接続用端子部に接続され前記信号線駆動素子及び前記走査線駆動素子を制御するための信号及び電源電圧を供給する１個の外部回路接続用フレキシブルケーブルと、を有し、前記信号線駆動素子及び前記走査線駆動素子は、その前記外部回路接続用端子部側の端縁が前記表示パネルの外縁に対して前記外部回路接続用端子部から離隔するように傾斜していることを特徴とする。
【発明の効果】
【００２３】
本発明によれば、外部回路接続用ＦＰＣケーブルの幅が、信号線線駆動素子の搭載された額縁部の幅寸法及び／又は走査線線駆動素子を搭載した額縁部の幅寸法より広くても、額縁部を広げることなしに、２つの駆動素子を搭載した額縁部に挟まれるコーナー部に外部回路接続用ＦＰＣケーブルを実装することができる。
【発明を実施するための最良の形態】
【００２４】
以下、本発明の実施の形態について添付の図面を参照にして具体的に説明する。先ず、本発明の第1の実施形態について説明する。図１は本実施形態に係る液晶表示装置を示す斜視図である。図１に示すように、本実施形態に係る液晶表示装置図においては、画素電極（図示せず）がマトリックス状に配置されたガラス基板１と、対向電極（図示せず）が形成されたガラス基板２を、その間に液晶を封止するように張り合わせている。ここで、ガラス基板１の長さはＬ５であり、幅はＷ５である。ガラス基板２の長さはＬ４であり、幅はＷ４である。ガラス基板１の額縁部には、走査パルスを画素電極に出力する走査線駆動素子３及び映像信号を画素電極に出力する信号線駆動素子４が実装されている。走査線駆動素子３の長手方向の長さはＬ１で、幅はＷ１（Ｗ１≦４ｍｍ）である。信号線駆動素子４の長手方向の長さはＬ２で、幅はＷ２（Ｗ２≦４ｍｍ）である。また、ガラス基板１の額縁部において、走査線駆動素子３と信号線駆動素子４との間のコーナー部には、外部からの制御信号及び電源電圧を走査線駆動素子３及び信号線駆動素子４に伝達する外部回路接続用ＦＰＣケーブル５が接続されている。外部回路接続用ＦＰＣケーブル５の幅はＷ３である。
【００２５】
図２は、図１に示す破線で囲まれた部分を拡大した平面図である。図２に示すように、ガラス基板１の表面には複数本の走査線１６と複数本の信号線１７が互いに直交するように形成されており、その交点には表示画素電極（図示せず）が、表示画素電極に電圧を印加する薄膜トランジスタを介して接続されて、表示画素領域を形成している。この表示画素領域では、液晶３１（図３参照）を封止するようにガラス基板２が張り合わせてある。また、ガラス基板１の額縁部の一辺には、複数個の走査線電極端子５９（図４参照）が配列され、隣接する他の一辺には複数個の信号線電極端子３９（図３参照）が配列されている。各走査線電極端子５９は走査線１６に接続されており、各信号線電極端子３９は信号線１７に接続されている。走査線電極端子５９は、走査線駆動素子３の長手方向に配列された複数個の走査線駆動出力端子１８に接続されている。各信号線電極端子３９は、信号線駆動素子４の長手方向に配列された信号線駆動出力端子２０に接続されている。
【００２６】
走査線駆動素子３は、走査線１６に電圧を供給するため、多結晶シリコン薄膜トランジスタで構成された走査線駆動回路５５（図４参照）が設けられている。また、走査線駆動素子３においては、前記走査線駆動回路５５を制御するための信号を外部から入力する複数個の入力端子１９が短辺方向に配列されている。各入力端子１９は、各入力端子１９に対応するガラス基板１の表面に設けられた複数個の電極に夫々接続されている。これらの電極は、金属配線２４を介して、外部回路接続用ＦＰＣケーブル５と接続するための複数個の外部回路接続用端子２２に接続されている。
【００２７】
信号線駆動素子４は、信号線１７に電圧を供給するため、多結晶シリコン薄膜トランジスタで構成された信号線駆動回路３５（図３参照）が設けられている。また、信号線駆動素子４においては、前記信号線駆動回路３５を制御するための信号を外部から入力する複数個の入力端子２１が短辺方向に配列されている。各入力端子２１は、各入力端子２１に対応するガラス基板１の表面に設けられた複数個の電極４１（図５参照）に夫々接続されている。これらの電極４１は、金属配線２５を介して、外部回路接続用ＦＰＣケーブル５と接続するための複数個の外部回路接続用端子２３に接続されている。
【００２８】
外部回路接続用端子２３及び２３は、ガラス基板１の額縁部の走査線駆動素子３と信号線駆動素子４との間のコーナー部に設けられている。コーナー部の一辺に沿って外部回路接続用ＦＰＣケーブル５に設けられた電極端子４６を接続する複数個の外部回路接続用端子２２が幅Ｗ６の範囲に配列されており、隣接する他辺に沿って外部回路接続用ＦＰＣケーブル５に設けられた電極端子４６を接続する外部回路接続用端子２３が幅Ｗ７の範囲に配列されている。電極４６は銅配線３８（図５参照）に接続され、外部回路に接続される。
【００２９】
ガラス基板１の走査線電極配列側額縁部と信号線電極配列側額縁部に挟まれたコーナー部に設けた外部回路接続用端子２２及び２３は、前記コーナー部の２つの辺に沿って形成する。外部回路接続用端子２２及び２３の形状は、長さ０．５ｍｍ以下で、幅及びピッチは夫々、外部回路接続用ＦＰＣケーブル５設けられている銅配線３８及び電極４６と同様に、４０μｍ及び８０μｍとする。外部回路接続用端子２２の配列の幅Ｗ６、外部回路接続用端子２３の配列の幅Ｗ７は、夫々３．６ｍｍ程度となる。
【００３０】
図３は図２に示すＡ−Ａ’線による断面図、図４は図２に示すＢ−Ｂ’線による断面図、図５は図２に示すＣ−Ｃ’線による断面図である。図３に示すように、図２に示すＡ−Ａ’線による断面においては、ガラス基板１の表面に、信号線線１７、信号線電極端子３９及び電極端子６２が形成されている。ガラス基板１表面の信号線１７を部分的に覆うように、表面に対向電極３２を設けているガラス基板２をシールド材３３を介して対向させ、液晶３１が封止するよう張り合わせている。また、ガラス基板３４表面には、信号線１７に電圧を供給するための信号線駆動回路３５が形成されており、更に、信号線駆動回路３５を覆うように保護用の絶縁膜４０が形成されている。更にまた、信号線駆動回路３５表面には、出力端子２０及び電極端子６２が形成されており、夫々異方導電性接着フィルムを介して信号線電極３９及び電極端子６２に接続されている。
【００３１】
また、図４に示すように、図２に示すＢ−Ｂ’線による断面図においては、ガラス基板１の表面に、走査線１６、信号線電極端子３９及び電極端子６２が形成されている。ガラス基板１表面の走査線１６を部分的に覆うように、表面に対向電極３２を設けているガラス基板２をシールド材３３を介して対向させ、液晶３１を封止するよう張り合わせている。また、ガラス基板５４表面には、走査線１６に電圧を供給するための走査線駆動回路５５が形成されており、更に、走査線駆動回路５５を覆うように保護用の絶縁膜６０が形成されている。更にまた、走査線駆動回路５５表面には、出力端子１８及び電極端子６１が形成されており、夫々異方導電性接着フィルムを介して走査線電極５９及び電極端子６２に接続されている。
【００３２】
更に、図５に示すように、図２に示すＣ−Ｃ’線による断面図においては、ガラス基板１の表面に、電極４１、外部回路接続用端子２２及び金属配線２５が形成されており、電極４１及と外部回路接続用端子２２は金属配線２２で接続されている。ガラス基板３４表面には、信号線線駆動回路３５が形成されており、更に、信号線駆動回路３５を覆うように絶縁膜４０が形成されている。また、信号線駆動回路３５表面には、入力端子２１が形成されており、異方導電性接着フィルム４４を介して電極４１に接続されている。更に、フィルム基板３７表面には、信号線駆動回路３５を制御する外部回路（図示せず）に接続するための銅配線３８及び電極端子４６が形成されている。電極端子４６は、異方導電性接着フィルム４５を介して前記ガラス基板１表面の外部回路接続端子２２に接続されている。
【００３３】
次に、上述の如く構成された本実施形態に係る液晶表示装置の動作について説明する。図１乃至図５に示すように、外部回路（図示せず）から、外部回路接続用ＦＰＣケーブル５及びガラス基板１を介して、走査線駆動素子３及び信号線駆動素子４に制御信号が入力される。これらの制御信号に従って、走査線駆動素子３は走査パルスを走査線１６を介して画素電極に出力し、信号線駆動素子４は映像信号を信号線１７を介して画素電極に出力する。これらの信号によって画素電極と対向電極３２の間の電圧が変化し、それに従って画素電極と対向電極３２の間に挟まれている液晶３１の配向状態が変化する。
【００３４】
外部回路接続用ＦＰＣケーブル５に設けられている銅配線３８及び電極４６は、例えば、幅４０ｍｍ、ピッチ８０ｍｍ、厚さ２０ｍｍとし、ＦＰＣケーブル５の長さを１０ｃｍとする。配線は８８本であり、外部回路接続用端子２２，２３に夫々、４４本ずつ接続される。その内訳は、走査線駆動素子３及び信号線駆動素子４に供給する４系統の電源用配線２４本、グランド用配線１２本、映像信号用配線１８本、階調電圧用配線１０本、１６本の制御信号用配線１６本、クロック信号用配線２本及び液晶表示パネルの表示画素電極の対向電極に供給する電源用配線６本である。ガラス基板１の走査線電極配列側額縁部と信号線電極配列側額縁部に挟まれたコーナー部に設けた外部回路接続用端子２２及び２３は、前記コーナー部の２つの辺に沿って形成する。外部回路接続用端子２２及び２３の形状は、長さ０．５ｍｍ以下で、幅及びピッチは夫々、外部回路接続用ＦＰＣケーブル５設けられている銅配線３８及び電極４６と同様に、４０μｍ及び８０μｍとする。外部回路接続用端子２２の配列の幅Ｗ６、外部回路接続用端子２３の配列の幅Ｗ７は、夫々３．６ｍｍ程度となる。これにより、走査線駆動素子３及び信号線駆動素子４の短辺方向の幅（４ｍｍ以下）で制限される額縁部を広げることなしに、外部回路接続用ＦＰＣケーブル５の全ての配線を接続するためのスペースを確保することができる。
【００３５】
次に、本発明の第２の実施形態について説明する。図６は本実施形態に係る液晶表示装置を示す平面図である。前述の第１の実施形態においては、図２に示すように、ガラス基板１のコーナー部の一辺に沿って複数個の外部回路接続用端子２２が配列されており、隣接する他辺に沿って外部回路接続用端子２３が配列されている。これに対して、本第２実施形態においては、図６に示すように、外部回路接続用端子２２と走査線駆動素子３の入力端子１９とは、夫々対応するものが同一の順序で配列されており、外部回路接続用端子２３と信号線駆動素子４の入力端子２１とは、夫々対応するものが同一の順序で配列されている。これにより、外部回路接続用端子２２と走査線駆動素子３の入力端子１９、外部回路接続用端子２３と信号線駆動素子４の入力端子２１は、夫々金属配線２４、２５により最短距離で接続することができ、配線パターンの設計及び形成が容易となる。外部回路接続用ＦＰＣケーブル５に設けられている電極４６は、前記外部回路接続用端子２２及び２３に対応する位置に形成されている。本実施形態における上記以外の構成、動作及び効果は、前述の第１の実施形態と同様である。なお、本実施形態においては、外部回路接続用端子２２及び２３のいずれか一方をガラス基板の一辺に沿って配列し、お互いが平行になるように設けてもよい。
【００３６】
更に、本発明の第３の実施形態について説明する。図７は本実施形態に係る液晶表示装置を示す斜視図である。また、図８は、図７の破線で囲まれた部分を拡大した平面図であり、図９はその変形例である。更に、図１０、図１１は、図７で説明した本実施形態の変形例を示す斜視図である。
【００３７】
前述の第１の実施形態においては、図１に示すように、信号線駆動素子４として平面形状が長方形であるものを使用している。これに対して、本第３実施形態においては、図７及び図８に示すように、信号線駆動素子４の入力端子２１の配列された短辺をガラス基板１の辺に直交する方向に対して傾斜させている。外部回路接続用端子２２及び２３は、ガラス基板１のコーナー部の一辺に沿って配列される。外部回路接続用ＦＰＣケーブル５に設けられている電極４６は、前記外部回路接続用端子２２及び２３に対応する位置に形成されている。また、図９に示すように、信号線駆動素子４の入力端子２１の長手方向と端子ピッチを、出力端子の長手方向と端子ピッチに合わせることができる。そのため、信号線駆動素子４の短辺方向の位置合わせにおいて高い精度を必要とせず、長手方向にのみ高い位置合わせ精度を確保すればよい。更に、図１０に示すように、信号線駆動素子４を２つに分割し、分割した２つの信号線駆動素子４、６の互いに対向する短辺に入力端子を配列し、更にそれらの辺をガラス基板１の辺に直交する方向に対して傾斜させて、２つの信号線駆動素子４，６の間に外部回路接続用端子２２及び２３を配置する。外部回路接続用端子２２は、信号線駆動素子４の下のガラス基板１表面に形成されている金属配線２４を介して、又は、ガラス基板１表面に形成された金属配線及びそれに接続するよう信号線駆動素子４に形成された金属配線を介して、走査線駆動素子３の入力端子１９に対応するガラス基板１の表面に設けられた電極に接続されている。更にまた、図１１に示すように、信号線駆動素子４の入力端子２１の配列された辺と走査線駆動素子３の入力端子１９の配列された辺をガラス基板１の辺に直交する方向に対して傾斜させて、外部回路接続用端子２２、２３を形成するスペースを設けることができる。本実施形態における上記以外の構成、動作及び効果は、前述の第１の実施形態と同様である。
【図面の簡単な説明】
【００３８】
【図１】本発明の第１の実施形態に係る液晶表示装置を示す斜視図である。
【図２】本発明の第１の実施形態に係る液晶表示装置を示す平面図である。
【図３】本発明の第１の実施形態に係る液晶表示装置を示す断面図である。
【図４】本発明の第１の実施形態に係る液晶表示装置を示す断面図である。
【図５】本発明の第１の実施形態に係る液晶表示装置を示す断面図である。
【図６】本発明の第２の実施形態に係る液晶表示装置を示す平面図である。
【図７】本発明の第３の実施形態に係る液晶表示装置を示す斜視図である。
【図８】本発明の第３の実施形態に係る液晶表示装置を示す平面図である。
【図９】本発明の第３の実施形態に係る液晶表示装置の第１の変形例を示す平面図である。
【図１０】本発明の第３の実施形態に係る液晶表示装置の第２の変形例を示す斜視図である。
【図１１】本発明の第３の実施形態に係る液晶表示装置を第３の変形例を示す斜視図である。
【図１２】従来の液晶表示装置を示す斜視図である。
【図１３】従来の液晶表示装置を示す平面図である。
【符号の説明】
【００３９】
１、２、３４、５４；ガラス基板
３；走査線駆動素子
４，６；信号線駆動素子
５；外部回路接続用ＦＰＣケーブル
１６；走査線
１７；信号線
１８；走査線駆動出力端子
１９、２１；入力端子
２０；信号線駆動出力端子
２２、２３、２６；外部回路接続用端子
２４、２５、；金属配線
３１；液晶層
３２；対向電極
３３；シールド材
３５；信号線駆動回路
３６；異方導電性接着剤
３７；フィルム基板
３８；銅配線
３９；信号線電極端子
４０、６０；絶縁膜
４１；電極
４４、４５、５６、６４；異方導電性接着フィルム
４６、６１、６２；電極端子
５５；走査線駆動回路
５９；走査線電極端子
【図１】
2005301161.tif 000003
【図２】
2005301161.tif 000004
【図３】
2005301161.tif 000005
【図４】
2005301161.tif 000006
【図５】
2005301161.tif 000007
【図６】
2005301161.tif 000008
【図７】
2005301161.tif 000009
【図８】
2005301161.tif 000010
【図９】
2005301161.tif 000011
【図１０】
2005301161.tif 000012
【図１１】
2005301161.tif 000013
【図１２】
2005301161.tif 000014
【図１３】
2005301161.tif 000015